(57)【要約】蓋手段に使用時に前記蓋手段（１）の内部の方へ延びるひれ手段（１０）が遠ざかる外縁（１１）のある開封表示手段（５）が含まれ、前記ひれ手段（１０）には前記縁（１１）に一番近いその部分の一部にほぼ長方形の延長部のある細長要素（１４）が含まれ、前記ひれ手段（１０）には、さらに、前記縁（１１）からさらに離れたその部分の一部に可撓性付属物手段（１８）が含まれる。蓋手段には、容器手段（９）の首部（８）から放射状に延びる第１軸つば手段（２２）の表面（２５）と相互作用するために適する第１部分（２６）、前記首部（８）から放射状に延びる第２軸つば（２３）の追加表面（２７）と相互作用するために適する第２部分（３３）、ならびに前記第１軸つば手段（２３）のさらなる追加の面（４０）と相互作用するために適する第３部分（３９）が含まれる。【選択図】図1
2007534559.tif 000002
【特許請求の範囲】
【請求項１】
使用時に前記蓋手段（１）の内部の方に延びるひれ手段（１０）が遠ざかる外縁（１１）のある開封表示手段（５）が含まれて、前記ひれ手段（１０）に、その前記縁（１１）に最も近い部分の一部でほぼ長方形の拡がりのある細長要素（１４）が含まれる蓋手段で、さらに前記ひれ手段（１０）に前記縁（１１）からさらに遠ざかる部分の一部で可撓性付属物手段（１８）が含まれることを特徴とする蓋手段
【請求項２】
前記付属物手段（１８）が、前記付属物手段（１８）が前記細長要素（１４）の厚み内に抑えられる「折りたたみ構成」（X）と、前記付属物手段（１８）が前記細長要素（１４）に関してほぼ横断方向に延びる「展開構成」（Y）との間を動く請求項１による蓋手段
【請求項３】
使用時に前記蓋手段（１）の内部の方に延びるひれ手段（１０）から遠ざかる外縁（１１）のある開封表示手段（５）が含まれ、前記ひれ手段（１０）には、その前記縁（１１）に最も近い部分の一部に、ほぼ長方形の延長のある細長要素（１４）が含まれる蓋手段で、さらに前記ひれ手段（１０）に、その前記縁（１１）からさらに遠ざかる部分の一部に、前記細長要素（１４）に関して横断方向に延びる付属物手段（３８）が含まれることを特徴とする蓋手段
【請求項４】
前記付属物手段（３８）が前記細長要素（１４）に関してほぼ垂直に延びる請求項３による蓋手段
【請求項５】
前記付属物手段（１８、３８）が前記蓋手段（１）の周辺領域の方へ前記蓋手段（１）の中央領域から放射方向に向いた応力を受ける場合に変形可能である請求項１から請求項４までのいずれかによる蓋手段
【請求項６】
前記付属物手段（１８、３８）が前記細長要素（１４）を前記開封表示手段（５）に接続するための塑性ヒンジとして作用する変形可能領域（１２）が含まれる第１端部（１５）の反対側の前記細長要素の第２端部（１６）から遠ざかる請求項１から請求項５までのいずれかによる蓋手段
【請求項７】
前記ひれ手段（１０）が前記容器手段（９）の最初の開封中に前記蓋手段（１）が取付け可能である容器手段（９）の首部（８）に作られる突起部手段（２１）と相互作用するために適する請求項１から請求項６までのいずれかによる蓋手段
【請求項８】
前記ひれ手段（１０）が前記突起部手段（２１）の直径（D）と前記首部（８）の直径（d）間の差より少ない厚みをもつ請求項７による蓋手段
【請求項９】
前記ひれ手段（１０）が前記突起部手段（２１）と前記首部（８）から放射状に延びる前記容器手段（９）の形成部分（３５、４４）との間の距離より小さい高さ（h,h１）である請求項７あるいは請求項８による蓋手段
【請求項１０】
前記細長要素（１４）が前記の最初の開封中に圧縮応力を実質的に受ける請求項７から請求項９までのいずれかによる蓋手段
【請求項１１】
前記付属物手段（１８）が前記の最初の開封中に形成しながら結合されるように前記突起物手段（２１）と相互作用するよう形成されて、前記ひれ手段（１０）が前記開封表示手段（５）の廻りに回転することを防止する請求項７から請求項１０までのいずれかによる蓋手段
【請求項１２】
前記開封表示手段に前記環（５）の面に沿って長手方向に延びる意図的分離線手段のある環（５）が含まれる請求項１から請求項１１までのいずれかによる蓋手段
【請求項１３】
前記蓋手段（１）が取付け可能である容器手段（９）に作られる対応する追加ネジ山付き手段（７）と噛合させるために適するネジ山付き手段（６）が含まれる請求項１から請求項１２までのいずれかによる蓋手段
【請求項１４】
前記ネジ山手段に２ヶ所の始点（３０、３１）が設けられるひとつのネジ山（６）が含まれる請求項１３による蓋手段
【請求項１５】
前記２ヶ所の始点（３０、３１）が前記蓋手段（１）の開封部（３２）によって特定される追加面にほぼ平行な同一面上に含まれる請求項１４による蓋手段
【請求項１６】
前記２ヶ所の始点（３０、３１）が相互に１８０度の角度だけずれている請求項１４あるいは請求項１５による蓋手段
【請求項１７】
前記ネジ山（６）に相互に平行に延びる円筒状らせんを伴う一組のネジ山（２８、２９）が含まれる請求項１４から請求項１６までのいずれかによる蓋手段
【請求項１８】
前記円筒状らせんのピッチが４．５ミリである請求項１７による蓋手段
【請求項１９】
前記ネジ山（６）に相互に平行に延びるテーパーの付けられたらせんを伴う一組のネジ山（２８、２９）が含まれる請求項１４から請求項１６までのいずれかによる蓋手段
【請求項２０】
前記テーパー付きらせんのピッチが４．５ミリである請求項１９による蓋手段
【請求項２１】
使用時に前記蓋手段（１）の内部の方に延びるひれ手段（１０）が遠ざかる外縁（１１）のある開封表示手段（５）が含まれる蓋手段で、前記ひれ手段（１０）に、容器手段（９）の首部（８）から放射状に延びる第１軸つば手段（２２）の面（２５）と相互作用するために適する第１部分（２６）、前記首部（８）から放射状に延びる第２軸つば（２３）の追加面（２７）と相互作用するために適する第２部分（３３）、ならびに前記軸つば手段（２２）のさらに別の追加面（４０）と相互作用するために適する第３部分（３９）が含まれることを特徴とする蓋手段
【請求項２２】
前記第１部分（２６）が前記第２部分（３３）ならびに前記第３部分（３９）に関して横断方向に設けられる請求項２１による蓋手段
【請求項２３】
前記第１部分（２６）が前記第２部分（３３）ならびに前記第３部分（３９）に関してほぼ垂直に設けられる請求項２１あるいは請求項２２による蓋手段
【請求項２４】
前記第１部分（２６）、前記第２部分（３３）ならびに前記第３部分（３９）が、前記第１面（２５）によって、前記第２面（２７）によって、および前記第３面（４０）によって定められる別の行程輪郭（４６）と噛合するために適する行程輪郭（４５）を前記ひれ手段（１０）中に特定するように、相互に一体に接続される請求項２１から請求項２３までのいずれかによる蓋手段
【請求項２５】
前記輪郭（４５）ならびに前記追加輪郭（４６）が形成しながら結合されるように取付け可能である請求項２４による蓋手段
【請求項２６】
前記ひれ手段（１０）の厚みが前記第１軸つば手段（２２）の直径（D）と前記首部（８）の直径（d）の差より小さい請求項２１から請求項２５までのいずれかによる蓋手段
【請求項２７】
前記ひれ手段（１０）の高さ（h、h１）が前記第１軸つば手段（２２）と前記首部（８）から放射状に延びる前記容器手段の形成される部分（３５、４４）間の距離より小さい請求項２１から請求項２６までのいずれかによる蓋手段
【請求項２８】
前記開封表示手段に前記環（５）の面に沿って長手方向に延びる意図的分離線手段のある環（５）が含まれる請求項２１から請求項２７までのいずれかによる蓋手段
【請求項２９】
前記蓋手段（１）に取付け可能である容器手段（９）に作られる追加ネジ山付き手段（７）と噛合するために適するネジ山付き手段（６）が含まれる請求項２１から請求項２８までのいずれかによる蓋手段
【請求項３０】
前記ネジ山手段に２ヶ所の始点（３０、３１）がある１本のネジ山（６）が含まれる請求項２９による蓋手段
【請求項３１】
前記２ヶ所の始点（３０、３１）が前記蓋手段（１）の開封部（３２）によって特定される追加面に対しほぼ平行である同一面上に含まれる請求項３０による蓋手段
【請求項３２】
前記２ヶ所の始点（３０、３１）が相互に１８０度の角度だけずれる請求項３０あるいは請求項３１による蓋手段
【請求項３３】
前記ネジ山（６）にお互いに平行に延びる円筒状らせんを伴う一組のネジ山（２８、２９）が含まれる請求項３０から請求項３２までのいずれかによる蓋手段
【請求項３４】
前記円筒状らせんのピッチが４．５ミリである請求項３３による蓋手段
【請求項３５】
前記ネジ山（６）にお互いに平行に延びるテーパー付きらせんを伴う一組のネジ山（２８、２９）が含まれる請求項３０から請求項３２までのいずれかによる蓋手段
【請求項３６】
前記テーパー付きらせんのピッチが４．５ミリである請求項３５による蓋手段
【請求項３７】
第１軸つば手段（２２）ならびに第２軸つば手段（２３）が遠ざかる首部（８）ならびに使用時に前記蓋手段（１）の内部の方に延びるひれ手段（１０）が遠ざかる外縁（１１）のある開封表示手段（５）が設けられる蓋手段（１）が含まれる容器手段で、前記ひれ手段（１０）に前記第１軸つば手段（２２）の面（２５）と相互作用するために適する第１部分（２６）、前記第２軸つば手段（２３）の追加面（２７）と相互作用するために適する第２部分（３３）、ならびに前記第１軸つば手段（２２）のさらに別の面（４０）と相互作用するために適する第３部分（３９）が含まれることを特徴とする容器手段
【請求項３８】
前記第１部分（２６）が前記第２部分（３３）ならびに前記第３部分（３９）に関する横断方向に設けられる請求項３７による容器手段
【請求項３９】
前記第１部分（２６）が前記第２部分（３３）と前記第３部分（３９）に関してほぼ垂直に設けられる請求項３７あるいは請求項３８による容器手段
【請求項４０】
前記第１部分（２６）、前記第２部分（３３）ならびに前記第３部分（３９）が前記第１面（２５）によって、前記第２面（２７）によって、そして前記第３面（４０）によって定められる追加行程輪郭（４６）と噛合するために適する行程輪郭（４５）が前記ひれ手段（１０）中に特定されるように一体に接続される請求項３７から請求項３９までのいずれかによる容器手段
【請求項４１】
前記輪郭（４５）と前記追加輪郭（４６）が形成しながら結合されるように連結可能である請求項４０による容器手段
【請求項４２】
前記ひれ手段（１０）の厚みが前記第１軸つば手段（２２）の半径（D）と前記首部（８）の直径（d）間の差より少ない請求項３７から請求項４１までのいずれかによる容器手段
【請求項４３】
前記ひれ手段（１０）の高さ（h、h１）が前記第１軸つば（２２）と前記首部手段（８）から放射状に延びる前記容器手段（９）から形成される部分（３５、４４）間の距離より小さい請求項３７から請求項４２までのいずれかによる容器手段
【請求項４４】
前記第１軸つば手段（２２）が前記第２軸つば手段（２３）と隣接する請求項３７から請求項４３までのいずれかによる容器手段
【請求項４５】
前記第２軸つば手段（２３）の直径が前記第１軸つば手段（２２）より大きい請求項３７から請求項４４までのいずれかによる容器手段
【請求項４６】
前記第１軸つば手段（２２）が前記第２軸つば手段（２３）からよりも前記首部（８）の開封領域（２４）からの方がより離れている請求項３７から請求項４５までのいずれかによる容器手段
【請求項４７】
前記面（２５）が前記首部（８）にほぼ平行に設けられる請求項３７から請求項４６までのいずれかによる容器手段
【請求項４８】
前記追加面（２７）がほぼ環状に形成される請求項３７から請求項４７までのいずれかによる容器手段
【請求項４９】
前記のさらに追加の面（４０）がほぼ環状に形成される請求項３７から請求項４８までのいずれかによる容器手段
【請求項５０】
前記面（２５）が前記追加面（２７）と前記のさらなる追加面（４０）に関して傾斜している請求項３７から請求項４９までのいずれかによる容器手段
【請求項５１】
前記面（２５）が前記追加面（２７）と前記のさらに追加の面（４０）関してほぼ垂直様に設けられる請求項３７から請求項５０までのいずれかによる容器手段
【請求項５２】
前記開封表示手段に前記環（５）の面に沿って長手方向に延びる意図的分離線手段が設けられる環（５）が含まれる請求項３７から請求項５１までのいずれかによる容器手段
【請求項５３】
前記蓋手段（１）にさらに前記首部（８）に作られる追加ネジ山手段（７）と噛合するために適するネジ山手段（６）が含まれる請求項３７から請求項５２までのいずれかによる容器手段
【請求項５４】
前記ネジ山手段に２ヶ所の始点（３０、３１）が設けられるネジ山（６）が含まれる請求項５３による容器手段
【請求項５５】
前記２ヶ所の始点（３０、３１）が前記蓋手段（１）の開封部（３２）によって特定される追加面とほぼ平行である同一面上に含まれる請求項５４による容器手段
【請求項５６】
前記２ヶ所の始点（３０、３１）が相互に１８０度の角度だけずれた請求項５４あるいは請求項５５による容器手段
【請求項５７】
前記ネジ山（６）に相互に平行に延びる円筒状らせんを伴う一組のネジ山（２８、２９）が含まれる請求項５４から請求項５６までのいずれかによる容器手段
【請求項５８】
前記円筒状らせんのピッチが４．５ミリである請求項５７による容器手段
【請求項５９】
前記ネジ山（６）に相互に平行に延びるテーパー付きらせんを伴う一組のネジ山（２８、２９）が含まれる請求項５４から請求項５６までのいずれかによる容器手段
【請求項６０】
前記テーパー付きらせんのピッチが４．５ミリである請求項５９による容器手段
【請求項６１】
前記蓋手段（１）に取付け可能な容器手段（９）に作られる追加ネジ山付き手段（７）と噛合するために適するネジ山付き手段（６）が含まれる、前記ネジ山手段に２ヶ所の始点（３０、３１）が設けられるネジ山（６）が含まれることを特徴とする蓋手段
【請求項６２】
前記２ヶ所の始点（３０、３１）が前記蓋手段（１）の開封部（３２）によって特定される追加面にほぼ平行な同一面上に含まれる請求項６１による蓋手段
【請求項６３】
前記２ヶ所の始点（３０、３１）が相互に１８０度の角度だけずれている請求項６１あるいは請求項６２による蓋手段
【請求項６４】
前記ネジ山手段（６）にお互いに平行に延びる円筒状らせんを伴う一組のネジ山（２８、２９）が含まれる請求項６１から請求項６３までのいずれかによる蓋手段
【請求項６５】
前記円筒状らせんのピッチが４．５ミリである請求項６４による蓋手段
【請求項６６】
前記ネジ山（６）にお互いに平行に延びるテーパー付きらせんを伴う一組のネジ山（２８、２９）が含まれる請求項６１から請求項６３までのいずれかによる蓋手段
【請求項６７】
前記テーパー付きらせんのピッチが４．５ミリである請求項６６による蓋手段
【請求項６８】
前記開封表示手段（５）に前記開封表示手段（５）の面に沿って長手方向に延びる意図的分離線手段がある請求項６１から請求項６７までのいずれかによる蓋手段
【発明の詳細な説明】
【技術分野】
【０００１】
本発明は容器と取付け可能な蓋手段、特に、容器の首部と相互作用するために設けられる安全環手段ならびにひれ手段が含まれる開封表示装置が設けられる蓋手段に関する。
【背景技術】
【０００２】
容器に取付け可能な蓋要素を定める基盤壁と協働する第１部分、ならびに利用者に前記容器詰め製品が未開封であることを知らせるために適する開封表示装置を構成する第２部分が含まれる円筒状垂れ部からなる蓋がすでに知られている。
【０００３】
前述の第２部分には容器の首部にある突起部と相互作用するために適する環が含まれる。
【０００４】
このような第１部分と第２部分は複数の切り口、あるいは円筒状垂れ部を貫通するとともに、さらに第１部分と第２部分との間に延びる橋渡し部分により一定間隔をおいて配置される開封部からなる公称開封線によって分離されるとともに、蓋の最初の開封中に壊れるよう設計される。
【０００５】
環の縁領域から複数のひれが使用時に前記蓋の内側かつ上部部分の方に遠ざかる。
【０００６】
蓋が最初に開封される時、ひれ部は環の容器の首部からの外れを防止し、追加の橋渡し部分の壊れを促進するよう突起部と相互作用しあう。
【０００７】
橋渡し部分の壊れ無しに、ひれ部の前記縁領域廻りの倒れを防ぐために、突起部と相互作用するよう設けられる分厚い物体ならびに前記物体から突き出るとともに使用時に蓋と首部間に定められるすき間に受止められて、首部に平行に向けられる付属物をひれ部に設けることが提案されている。
【０００８】
特に、米国特許N. 4546892号には開封表示環から突き出る複数のひれ部が含まれる蓋に関して規定されている。
【０００９】
分厚い物体によって構成される各ひれ部が、開封中のひれ部の倒れを防ぐために容器の首部に作られる突起部と相互作用するよう設けられる突出部から遠ざかる。
【００１０】
上に公開されている蓋の欠点は、突出部の存在がひれ部作動面の拡がりを減らすという点にある。
【００１１】
さらに、ひれ部の物体の厚みが厚いため、それぞれのひれ部の厚い物体を強いて蓋を各容器にはめるためには大きなトルクが必要とされる。
【００１２】
このことは蓋が設けられる橋渡し部分は蓋が容器の首部に取付けられる時に壊れないように相当な大きさの横断面がなくてはならないことを意味する。
【００１３】
従って、橋渡し部分は十分な強度があれば良く、最初の開封時に壊れないので、蓋の本体から分離しないでひれ部は倒れて環が軸つばからすべり落ちる。
【００１４】
さらに、この蓋は橋渡し要素の破壊抵抗強度が大きいため開封が難しいので利用者にとって少々不便である。
【００１５】
米国特許5096079号には開封表示環付きの塑性ヒンジによって接合される曲がった部分ならびに曲がった部分から延びる長方形部分が含まれるひれ部が設けられた蓋について規定されている。
【００１６】
使用中に、前述の蓋が取付けられた容器の首部にある突起部と相互作用するよう設けられる接合領域が曲がった部分と長方形部分の間に設けられる。
【００１７】
各ひれ部はその全体範囲にわたって均等な変型性能があるよう一定横断面を有する。
【００１８】
このようにして容器の首部にある蓋を取付ける操作が単純化される。
【００１９】
上に公開される蓋の欠点は、曲がった部分の大きな変型性能のため、前記首部に回転締めされる前記蓋の本体に開封表示環を接続する橋渡し要素が壊れるまでに蓋を大きな角度で回転させる必要があるという点にある。
【００２０】
上で公開される蓋のさらなる欠点はひれ部の大きさが精密に決められねばならない点にある。
【００２１】
特に、ひれ部の横方向の大きさは蓋が首部に容易に挿入可能となるよう十分に制限されなくてはならないが、同時に、開封段階中の過度な変形を防止するとともに、橋渡し要素が壊れるまでの開封時間のかかりすぎや内容物の流出を防止するよう十分に延ばされなくてはならない。
【００２２】
上に公開されている蓋の尚一層の欠点は、ひれ部が開封中に受ける大きな変形により、前記ひれ部が蓋の内壁に押しつけられて平らになり、それにつられて滑動するとともに蓋の外側の方へ回転することが誘発されかねないという点にある。
【００２３】
米国特許5096079号に公開されている蓋は、米国特許4546892号に公開されている蓋よりもより容易に首部に取付け可能であるにもかかわらず、望ましくないひれ部の倒れは防止不可能である。
【００２４】
知られている蓋には、対応する容器の首部にあるネジ山との噛合用に適切なネジ山が内部に設けられる物体がある。
【００２５】
既知の蓋には単一の始点を伴う、すなわち、単一の円筒状らせんを定めるらせん状ネジ山が設けられる。
【００２６】
前記ネジ山のピッチは３ミリである。
【００２７】
円筒状らせんは３６０度より大きな角度の延長部まで延びる。
【００２８】
この蓋は橋渡し要素が壊れるまでは幅広い範囲を持つネジ山の断面が噛合されたままである限り、満足すべき封が確保される。
【００２９】
上に公開されている蓋の欠点ひとつは、らせんがやや大きな角度で作られねばならない限り、蓋の長さが相当長くなくてはならない点にある。
【００３０】
さらに既に知られている蓋には、３始点を伴う、すなわち相互に平行な３本の円筒状らせんを定めるらせん状ネジ山が設けられるものがある。
【００３１】
前記の各らせんのピッチは９ミリである。
【００３２】
各円筒状らせんは約１２０〜１８０度の角度で延びる。
【００３３】
円筒状らせんが限定された長さの蓋に設置可能である限り、その限定された角度のため前記蓋によりかなりの材料の節約を行うことが可能となる。
【００３４】
上に公開されている蓋の欠点は、橋渡し要素が壊れる前に蓋が取付けられる容器からの液体の流出が起きることがある点にある。
【００３５】
この場合には、実は、開封表示環が首部にある突起部と相互作用する時、
延長部の限られた蓋のネジ山断面だけが対応する首部のネジ山断面と噛合する。
【発明の開示】
【発明が解決しようとする課題】
【００３６】
本発明の目的は既知の蓋手段を改良することにある。
【００３７】
本発明のもうひとつの目的は蓋手段の本体からの開封表示手段の迅速かつ効率の良い取り外しを促進するひれ手段が設けられる蓋手段をつくることにある。
【００３８】
さらに別の目的はひれ手段が、前記蓋が取付けられる容器の開封中の倒れが防止される蓋手段をつくることにある。
【課題を解決するための手段】
【００３９】
本発明の第１の側面では、使用時に前記蓋手段の内側の方に延びるひれ手段がそこから遠ざかる外縁のある開封表示手段が含まれる蓋手段が設けられ、前記ひれ手段には、前記縁に最も近い部分の一部にほぼ長方形の延長のある細長い要素が含まれ、前記ひれ手段に、さらに、前記縁からさらに遠ざかるその部分の一部に、可撓性付属物手段が含まれることを特徴とする。
【００４０】
ある実施例では、付属物手段は、前記付属物手段が前記の細長要素の厚みの中に抑えられる「折りたたみ構成」と、前記付属物が前記細長要素に関してほぼ横方向に延ばされる「展開構成」との間を動く。
【００４１】
蓋の最初の開封の間、開封表示手段が前記首部からの外れを防止するよう、ひれ手段は蓋手段が取付けられる容器の首部にある突起部と相互作用する。
【００４２】
前述の相互作用中に、細長要素は少々限定された量だけ、ひれ手段に変形を生じる圧縮応力を実質的に受ける。
【００４３】
これにより、開封表示手段を蓋手段の本体に接続する橋渡し要素の破損が速まる。
【００４４】
特に、前記破損は蓋手段とそれぞれの容器間の封がまだ保証されている時に生じる。
【００４５】
可撓性付属物手段は、ひれ手段の倒れを防止するよう前記突起部を部分的に包むように形成される。
【００４６】
「折りたたみ構成」では、付属物手段は、細長要素の厚み以内に抑えられので、ひれ手段がその円周に向く蓋手段の中心から放射方向に向けられる応力を受ける場合でも、全体としてはやや限定された横方向の寸法を有するので良好な変形性能を有する。
【００４７】
これにより、容器を閉める操作中に細長部と可撓性付属物手段が突起部を越えて押される時に特別意味のある強さで抗しない限り、容器首部の蓋手段の取付けが容易に可能となる。
【００４８】
これにより、さらに、蓋手段により容器首部に作用する大きなトルク値が必要とされない限り、開封表示手段が蓋の本体に接続されるために設けられると同時に、限定された大きさの横断面のある橋渡し要素を創り出すことが可能となる。
【００４９】
このように、橋渡し要素はより小さな強度にしか耐えず、容器の最初の開封中には利用者によって容易に壊せることとなる。
【００５０】
従って、前記の最初の開封中に開封表示手段が容器から外れる危険は、劇的に減らされるかあるいは完全にすら取り除かれる。
【００５１】
本発明の第２の側面では、使用時に前記の蓋手段の内部の方に延びるひれ手段が遠ざかる外縁のある開封表示手段が含まれる蓋手段が設けられ、前記ひれ手段には、前記縁に一番近い部分の一部にほぼ長方形の延長部のある細長要素が含まれるもので、その特徴は前記ひれ手段には、さらに、前記縁からさらに遠ざかった部分の一部に前記細長要素に関して横方向に延びる可撓性付属物手段が含まれる点にある。
【００５２】
本発明のこの側面のため、ひれ手段には容器首部にある突起部を伴った接触領域があり、該突起部は相当な長さにわたる。これにより、特に効果的なひれ手段の設置が可能になる。
【００５３】
さらに、可撓性付属物の利用により細長要素が実質的に圧縮応力を受けるようになる。
【００５４】
本発明の第３の側面では、使用時に前記蓋手段の内部の方に延びるひれ手段が遠ざかる外縁のある開封表示手段が含まれる蓋手段が設けられていて、その特徴は前記ひれ手段には、容器の首部から放射状に延びる第１軸つばの表面と相互作用するために適切な第１部分、前記首部から放射状に延びる第２軸つばの別の表面と相互作用するために適切な第２部分、ならびに第１軸つばのさらに別の表面と相互作用するために適切な第３部分が含まれるという点にある。
【００５５】
本発明のこの側面により、容器の開封中に倒れないひれ手段の設けられる蓋手段の設置が可能となる。
【００５６】
該ひれ手段の受ける変形量は限定されており、このため、前記開封表示手段の橋渡し要素は素早く壊れる。
【００５７】
本発明の第４の側面では、前記蓋手段の取付け可能な容器手段に設置された対応する別のネジ山手段と噛合するために適するネジ山手段が含まれる蓋手段が設けられていて、その特徴は前記ネジ山手段に２始点のネジ山が含まれることにある。
【００５８】
ある実施例では、２始点ネジ山には、お互いに平行に延びてピッチが４．５ミリである一組の円筒状らせんネジ山が含まれる。
【００５９】
本発明のこの側面のため、蓋手段は長さが限定されて、従って、前記蓋手段が作られる材料の消費を限定できるよう設置が可能となる。
【００６０】
同時に、前記蓋手段に取付けられる開封表示手段の橋渡し要素が壊れるまで、蓋手段が取付けられる容器から製品が離れることを防止する蓋手段の設置が可能である。
【詳細な説明】
【００６１】
図１から図４までを参照すると、蓋１の本体４の横方向面３を定める円筒状の垂れ部２ならびに開封表示環５が含まれる蓋１が示されている。
【００６２】
蓋１は圧縮成形によるかあるいは注入成型によるプラスチック製にできる。
【００６３】
円筒状垂れ部２では、蓋１の公称開封線１３を定める複数の貫通切り口あるいは開封部が作られる。
【００６４】
隣接しあう貫通切り口間には、本体４を閉封表示環５に接続するために設けられる橋渡し要素が確認され、これらの橋渡し要素は蓋１が最初に開封される時に壊れるために適している。
【００６５】
本体４には、蓋１が取付け可能である容器９の首部８に作られる対応する別のネジ山７と噛合するために適したネジ山６が作られる。
【００６６】
開封表示環５にはその外縁１１から遠ざかる１ヶ所以上のひれ部１０が設けられる。
【００６７】
ひれ部１０は首部８に作られる突起部２１と相互作用するために設けられる。
【００６８】
ひれ部１０は橋渡し要素の破損を促進するとともに、容器９の最初の開封中に開封表示環５が首部８から外れることを防ぐ。
【００６９】
開封表示環５には、ひれ部１０を開封表示環５に接合するために適する塑性ヒンジとして作用する変形可能領域１２が含まれる。
【００７０】
ひれ部１０は蓋１が容器９に取付けられるまでに開封表示環５内部にたたみ込まれる。
【００７１】
これは専用の折りたたみ操作あるいはひれ部１０と容器９の首部８の相互作用を通じて行われる。
【００７２】
ひれ部１０には、変形可能領域１２と接続される第１端部１５のある細長要素１４並びに付属物１８の追加第１端部１７が接続される第１端部１５と対向する第２端部１６が含まれる。
【００７３】
付属物１８には高い変形能力が備わるよう厚みが多少とも限定される。
【００７４】
さらに、付属物１８の厚みが限定されるため、ひれ部１０には相当な長さをもつ突起部２１と相互作用する領域１９がある。
【００７５】
付属物１８は図２でXと表示され付属物１８が細長要素１４の厚み内に抑えられる「折りたたみ構成」と、図１でYと表示され付属物１８がほぼ横断方向に突起部２１と相互作用する細長要素１４から延びる「展開構成」との間を動く。
【００７６】
付属物１８は、「展開構成」Yで、容器９の最初の開封中に、すなわち、蓋１が矢印Fで表示される方向に平行移動する時に、ヒンジとして作用する変形可能領域１２廻りのひれ部１０の倒れを防止するよう部分的に突起部２１を包む。
【００７７】
ひれ部１０の倒れに対する抵抗をもっと効果的にするために、付属物１８は突起部２１と形成しながら結合されるように相互に作用しあって形成されることが可能である。
【００７８】
細長要素１４は橋渡し要素を素早く壊れやすくする存在物に限定される主として圧縮応力ならびに変形を受ける
【００７９】
「折りたたみ構成」Xにおけるように、付属物１８は細長要素１４の厚み内に押さえられ、ひれ部１０は全体として従来技術の既知のひれ部よりさらにほっそりしていて、従って、蓋１の円周方向に蓋１の中心から放射方向に向く応力を受ける場合に、さらに大きな変形性能がもたらされる。
【００８０】
これにより、首部８にある蓋１の位置決め時にひれ部１０が突起部２１を飛び越えるよう強いられる場合に、過度に抵抗しない限り蓋１を容器９に取付ける操作は相当単純化できることになる。
【００８１】
これにより、さらに、口金１が首部８に作用するかなりの値のトルクを必ずしも受ける必要がない限り、橋渡し要素は限定された面の横断面にすることが可能である。
【００８２】
図３に示される通り、蓋１の本体４が開封表示環５から離れるとすぐ、各個のひれ部１０の付属物１８は、「展開構成」Yから「折りたたみ構成」Xまで通りやすくなり、これによって、開封表示環５が突起部２１から取り除かれる。
【００８３】
このように、容器９の最初の使用後に、本体４が再度首部８にネジ山回転により止められる場合、付属物１８の存在のおかげで開封表示環５は本体４から一定の距離に維持される。
【００８４】
こうして、蓋１は開封されたという、そして蓋１が取付けられた容器９に関しては何らかの開封が生じたというより明確な証拠が作られる。
【００８５】
特に、ひれ部１０には、突起部２１の直径Dと首部８の直径dとの間の差より小さい厚みがある。
【００８６】
ひれ部１０には、さらに、突起部２１の底部３７と首部８から放射状に突き出た円盤状部３５間の距離Hより少ない高さhがある。
【００８７】
このように、容器９が最初に開封されるとすぐ、ひれ部は、突起部２１によって、円盤状部３５によって、そして突起部２１と円盤状部３５間に含まれる首部８の部分３６によって定められる空間３４内部に収納可能となる。
【００８８】
ある具体例では、公称開封線１３はその円周の全範囲についてよりも、むしろ蓋の展開部分についてのみ延長できる。
【００８９】
公称開封線１３には、蓋１の横方向面３に作られる切り口あるいは切りこみ、あるいは弱められた部分が含まれると良い。
【００９０】
さらに、開封表示環５にはその厚み全体を横断する鉛直方向切り口が設けられると良い。
【００９１】
この場合には、橋渡し要素が壊れた直後は、開封表示環５は本体４と接続されたままであってそれ自身が首部８から外れる。
【００９２】
図４に示されるように、蓋１が欠陥のある容器９に取付けられる場合には、その最初の開封中に、ひれ部１０は変形可能領域１２廻りに回転する場合があり、これによって倒れる場合が起き得る。
【００９３】
この場合には、付属物１８は開封表示環５が首部８から外れることを防止するよう、各個の付属物１８の外面２０が突起部２１と相互作用するZで表示される別の構成をとることが可能である。
【００９４】
言換えれば、本発明による蓋１のひれ部１０はたとえ欠陥のある容器に取付けられる場合でも有効であるように形成される。
【００９５】
図５を参照すると、各個のひれ部に、変形可能領域１２と接続される第１端部１５、ならびに追加付属物３８が接続される第１端部１５と対向する第２端部１６のある細長要素１４が設けられるひれ部１０が、含まれる蓋１が示されたものである。
【００９６】
追加付属物３８は細長要素１４に関して横断方向に延びるとともに、容器９の最初の開封中に、蓋１の横方向面３廻りの円周上に延びる公称開封線１３を定める橋渡し要素の破損を促進する突起物２１と相互作用するために適している。
【００９７】
ある実施例では、追加付属物３８は細長要素１４に関してほぼ垂直に延びる。
【００９８】
追加付属物３８には、突起部２１と相互作用するよう設けられかつ拡がり面が相当ある領域４７が含まれ、これにより、ひれ部１０と突起部２１間の相互作用の最適化が可能になる。
【００９９】
追加付属物３８にはさらにその円周の方に蓋１の中心から放射状に向いた応力を受ける場合に備えて大きな変形性能がある。
【０１００】
これにより、蓋が首部８への作用時に受けねばならない最大トルク値を相当程度下げることが可能となる。
【０１０１】
図６および図７を参照すると、あるバージョンにより作られたもので、第１軸つば２２と第２軸つば２３が含まれる突起物２１の設けられた容器９に取り付けられるために適した蓋１が示されたものである。
【０１０２】
第１軸つば２２は第２軸つば２３が作られる首部８の追加部分に関する容器９の開封領域２４からさらに遠ざかる首部８の部分に作られる。
【０１０３】
第１軸つば２２および第２軸つば２３はお互いに隣接するよう首部８から放射状に突き出る。
【０１０４】
第２軸つば２３は第１軸つば２２の直径より大きな直径をもつ。
【０１０５】
蓋１には、第１軸つば２２に作られる第１面２５との相互作用に適する第１部分２６、第２軸つば２３に作られる第２面２７との相互作用に適する第２部分３３、ならびに第１軸つば２２に作られる第３面４０との相互作用に適する第３部分が含まれるひれ部１０が設けられる。
【０１０６】
第１面２５は円筒状展開部を有するとともに、首部８の外面にほぼ平行に延びる。
【０１０７】
第２面２７は環状展開部を有するとともに、第１面２５に関してほぼ垂直に延びる。
【０１０８】
第３面４０は環状展開部を有するとともに、第２面２７にほぼ平行に延びる。
【０１０９】
第１面２５は変形可能領域１２廻りのひれ部の倒れを防止する止め要素を構成する。
【０１１０】
第２面２７と第３面４０は、最初の開封中に橋渡し要素が壊れることを促進してひれ部１０と協働する支援要素を構成する。
【０１１１】
こうして、容器９の最初の開封中に、首部８を本体４に接合する橋渡し要素が壊れ損ねた後でも、開封表示環５が首部８から分離することが防止される。
【０１１２】
さらに、それぞれ第１部分２６の第２部分３３の、また第３部分３９の、第１面２５、第２面２７、そして第３面４０との相互作用により、ひれ部１０は圧縮応力によって支配的な影響を受けて座屈応力下の作用を実質的に受ける。
【０１１３】
こうして、ひれ部１０は限定された変形を受けるとともに、蓋の本体４と開封表示環５間にある橋渡し要素が素早く壊れることになる。
【０１１４】
言換えると、第１軸つば２２と第２軸つば２３は、ひれ部１０が曲がりによって変形する可能性を制限する。
【０１１５】
特に、第１面２５はひれ部１０が変形可能領域１２廻りに回転するのを防止して、容器９の開封中に橋渡し要素が壊れずに、開封表示環５が本体４に接続されたまま首部８から外れる危険を無くす。
【０１１６】
開封表示環５が本体４から分離することに利用者が十分に気付かずとも、容器９が開封されるとともに恐らくは再度封印されることを第１面２５が防止する結果となる。
【０１１７】
各ひれ部１０は、容器９の最初の開封中に、図６のKで表示される構成を取り、この中で第１部分２６が第１面２５と相互作用し、第２部分３３は第２面２７と相互作用するとともに、第３部分３９は第３面４０と相互作用する。
【０１１８】
各ひれ部１０は、さらに、容器９の最初の開封が起きるとすぐに、図７のLで表示される別の構成を取り、この場合にはひれ部は第１軸つば２２の下に設けられる。
【０１１９】
特に、追加構成Lでは、第２部分３３が突起部２１から開封表示環５を取り除くように第２面２７よりもむしろ第３面４０と相互作用する。
【０１２０】
ひれ部が追加構成Lにある時、実際は、容器９の開封が生じた事実のはっきりした認知を可能にするような延長のある距離ｌだけ、開封表示環５の上端領域４１は突起部２１の下端領域４２から離される。
【０１２１】
第１軸つば２２と容器９の丸くなった部分４４がそこから遠ざかる首部８の端部４３との間の距離よりその高さh１が小さい限り、各ひれ部１０は追加構成Lを取ることが可能である。
【０１２２】
図８を参照すると、図６と図７に図示される蓋１のあるバージョンが示されている。
【０１２３】
蓋１には、第１面２５によって、第２面２７によって、そして第３面４０によって定められる追加行程輪郭４６とともに、該ひれが構成Kで設けられる場合に、該ひれ１０に形成しながら結合されるような噛合に適する行程輪郭４５が与えられるよう、お互いに接続される第１部分２６、第２部分３３ならびに第３部分３９が設けられるひれ部１０が含まれる。
【０１２４】
図９から図１１までは容器９の首部８に作られる追加ネジ山７との噛合に適するひとつのネジ山６が内部に作られる蓋１を示す。
【０１２５】
該ネジ山６には第１ネジ山２８と本体４の内面に沿って平行に延びる第２ネジ山２９が含まれる。
【０１２６】
第１ネジ山２８には第２ネジ山２９が設けられる第２の始点３１もまた設けられる面に設けられる第１始点３０が設けられ、前記面はその内部に首部８が受止め可能である蓋手段１の開封部３２によって特定される追加面にほぼ平行である。
【０１２７】
第１始点３０と第２の始点３１は１８０度の角度だけずらされる。
【０１２８】
第１ネジ山２８と第２ネジ山２９はピッチ４．５ミリのそれぞれ円筒状らせんを定める。
【０１２９】
図には示されないある実施例では、第１ネジ山２８と第２ネジ山２９はそれぞれ円錐状らせんを定める。
【図面の簡単な説明】
【０１３０】
本発明はまたその非限定的な実施例を例示する幾例かを示す添付の図面を参照してより良く理解されるとともに実施されよう。
すなわち、
【図１】本発明による蓋手段の横断方向面に沿って取られた部分横断面で、ある構成の蓋手段のひれ手段を示す。
【図２】図１と同様の横断面で、蓋手段の容器の首部への取付け中の異なる構成でのひれ手段を示す。
【図３】図２と同様な横断面で、容器の最初の開封が起きてすぐの蓋手段の開封表示手段が蓋手段の本体から離れた後のひれ手段を示す。
【図４】図１と同様な横断面で、別の構成のひれ手段を示す。
【図５】図１同様の横断面で、本発明による蓋手段のあるバージョンを示す。
【図６】図１同様の横断面で、本発明による蓋手段の別のバージョンを示す。
【図７】図６と同様の横断面で、容器の最初の開封が生じてすぐの開封表示手段が蓋手段の本体から離れた後のひれ手段を示す。
【図８】図６に示される蓋手段の一実施例の横断方向面に沿って取られた部分横断面である。
【図９】別のバージョンにより作成された本発明による蓋手段の横断面透視図である。
【図１０】図９の蓋手段を単純図式化した横断面図である。
【図１１】図６の蓋手段の円筒内部横方向面の一面について展開したもので、蓋手段のネジ山を目立たせたものである。
【図１】
2007534559.tif 000003
【図２】
2007534559.tif 000004
【図３】
2007534559.tif 000005
【図４】
2007534559.tif 000006
【図５】
2007534559.tif 000007
【図６】
2007534559.tif 000008
【図７】
2007534559.tif 000009
【図８】
2007534559.tif 000010
【図９】
2007534559.tif 000011
【図１０】
2007534559.tif 000012
【図１１】
2007534559.tif 000013
【手続補正書】
【提出日】平成17年5月19日(2005.5.19)
【手続補正１】
【補正対象書類名】特許請求の範囲
【補正対象項目名】全文
【補正方法】変更
【補正の内容】
【特許請求の範囲】
【請求項１】
使用時にひれ手段（１０）が遠ざかるとともに蓋手段（１）の内部に延びる外縁（１１）のある開封表示手段（５）が含まれ、前記ひれ手段（１０）には前記縁（１１）に近い一部分に前記縁（１１）周囲に振幅可能な細長要素（１４）が含まれ、クサビ状長手方向断面を有するとともに前記開封表示手段（５）からほぼ長方形状に拡がり、前記ひれ手段（１０）にはさらに前記縁（１１）からさらに離れた一端部分に可撓性付属物手段（１８）が含まれる蓋手段
【請求項２】
前記付属物手段（１８）が、前記付属物手段（１８）が前記細長要素（１４）の厚み内に抑えられる「折りたたみ構成」（X）と、前記付属物手段（１８）が前記細長要素（１４）に関してほぼ横断方向に延びる「展開構成」（Y）との間を動く請求項１による蓋手段
【請求項３】
使用時に前記蓋手段（１）の内部の方に延びるひれ手段（１０）から遠ざかる外縁（１１）のある開封表示手段（５）が含まれ、前記ひれ手段（１０）には、その前記縁（１１）に最も近い部分の一部に、ほぼ長方形の延長のある細長要素（１４）が含まれる蓋手段で、さらに前記ひれ手段（１０）に、その前記縁（１１）からさらに遠ざかる部分の一部に、前記細長要素（１４）に関して横断方向に延びる付属物手段（３８）が含まれることを特徴とする蓋手段
【請求項４】
前記付属物手段（３８）が前記細長要素（１４）に関してほぼ垂直に延びる請求項３による蓋手段
【請求項５】
前記付属物手段（１８、３８）が前記蓋手段（１）の周辺領域の方へ前記蓋手段（１）の中央領域から放射方向に向いた応力を受ける場合に変形可能である請求項１から請求項４までのいずれかによる蓋手段
【請求項６】
前記付属物手段（１８、３８）が前記細長要素（１４）を前記開封表示手段（５）に接続するための塑性ヒンジとして作用する変形可能領域（１２）が含まれる第１端部（１５）の反対側の前記細長要素の第２端部（１６）から遠ざかる請求項１から請求項５までのいずれかによる蓋手段
【請求項７】
前記ひれ手段（１０）が前記容器手段（９）の最初の開封中に前記蓋手段（１）が取付け可能である容器手段（９）の首部（８）に作られる突起部手段（２１）と相互作用するために適する請求項１から請求項６までのいずれかによる蓋手段
【請求項８】
前記ひれ手段（１０）が前記突起部手段（２１）の直径（D）と前記首部（８）の直径（d）間の差より少ない厚みをもつ請求項７による蓋手段
【請求項９】
前記ひれ手段（１０）が前記突起部手段（２１）と前記首部（８）から放射状に延びる前記容器手段（９）の形成部分（３５、４４）との間の距離より小さい高さ（h,h１）である請求項７あるいは請求項８による蓋手段
【請求項１０】
前記細長要素（１４）が前記の最初の開封中に圧縮応力を実質的に受ける請求項７から請求項９までのいずれかによる蓋手段
【請求項１１】
前記付属物手段（１８）が前記の最初の開封中に形成しながら結合されるように前記突起物手段（２１）と相互作用するよう形成されて、前記ひれ手段（１０）が前記開封表示手段（５）の廻りに回転することを防止する請求項７から請求項１０までのいずれかによる蓋手段
【請求項１２】
前記開封表示手段に前記環（５）の面に沿って長手方向に延びる意図的分離線手段のある環（５）が含まれる請求項１から請求項１１までのいずれかによる蓋手段
【請求項１３】
前記蓋手段（１）が取付け可能である容器手段（９）に作られる対応する追加ネジ山付き手段（７）と噛合させるために適するネジ山付き手段（６）が含まれる請求項１から請求項１２までのいずれかによる蓋手段
【請求項１４】
前記ネジ山手段に２ヶ所の始点（３０、３１）が設けられるひとつのネジ山（６）が含まれる請求項１３による蓋手段
【請求項１５】
前記２ヶ所の始点（３０、３１）が前記蓋手段（１）の開封部（３２）によって特定される追加面にほぼ平行な同一面上に含まれる請求項１４による蓋手段
【請求項１６】
前記２ヶ所の始点（３０、３１）が相互に１８０度の角度だけずれている請求項１４あるいは請求項１５による蓋手段
【請求項１７】
前記ネジ山（６）に相互に平行に延びる円筒状らせんを伴う一組のネジ山（２８、２９）が含まれる請求項１４から請求項１６までのいずれかによる蓋手段
【請求項１８】
前記円筒状らせんのピッチが４．５ミリである請求項１７による蓋手段
【請求項１９】
前記ネジ山（６）に相互に平行に延びるテーパーの付けられたらせんを伴う一組のネジ山（２８、２９）が含まれる請求項１４から請求項１６までのいずれかによる蓋手段
【請求項２０】
前記テーパー付きらせんのピッチが４．５ミリである請求項１９による蓋手段
【請求項２１】
使用時に前記蓋手段（１）の内部の方に延びるひれ手段（１０）が遠ざかる外縁（１１）のある開封表示手段（５）が含まれる蓋手段で、前記ひれ手段（１０）に、容器手段（９）の首部（８）から放射状に延びる第１軸つば手段（２２）の面（２５）と相互作用するために適する第１部分（２６）、前記首部（８）から放射状に延びる第２軸つば（２３）の追加面（２７）と相互作用するために適する第２部分（３３）、ならびに前記軸つば手段（２２）のさらに別の追加面（４０）と相互作用するために適する第３部分（３９）が含まれることを特徴とする蓋手段
【請求項２２】
前記第１部分（２６）が前記第２部分（３３）ならびに前記第３部分（３９）に関して横断方向に設けられる請求項２１による蓋手段
【請求項２３】
前記第１部分（２６）が前記第２部分（３３）ならびに前記第３部分（３９）に関してほぼ垂直に設けられる請求項２１あるいは請求項２２による蓋手段
【請求項２４】
前記第１部分（２６）、前記第２部分（３３）ならびに前記第３部分（３９）が、前記第１面（２５）によって、前記第２面（２７）によって、および前記第３面（４０）によって定められる別の行程輪郭（４６）と噛合するために適する行程輪郭（４５）を前記ひれ手段（１０）中に特定するように、相互に一体に接続される請求項２１から請求項２３までのいずれかによる蓋手段
【請求項２５】
前記輪郭（４５）ならびに前記追加輪郭（４６）が形成しながら結合されるように取付け可能である請求項２４による蓋手段
【請求項２６】
前記ひれ手段（１０）の厚みが前記第１軸つば手段（２２）の直径（D）と前記首部（８）の直径（d）の差より小さい請求項２１から請求項２５までのいずれかによる蓋手段
【請求項２７】
前記ひれ手段（１０）の高さ（h、h１）が前記第１軸つば手段（２２）と前記首部（８）から放射状に延びる前記容器手段の形成される部分（３５、４４）間の距離より小さい請求項２１から請求項２６までのいずれかによる蓋手段
【請求項２８】
前記開封表示手段に前記環（５）の面に沿って長手方向に延びる意図的分離線手段のある環（５）が含まれる請求項２１から請求項２７までのいずれかによる蓋手段
【請求項２９】
前記蓋手段（１）に取付け可能である容器手段（９）に作られる追加ネジ山付き手段（７）と噛合するために適するネジ山付き手段（６）が含まれる請求項２１から請求項２８までのいずれかによる蓋手段
【請求項３０】
前記ネジ山手段に２ヶ所の始点（３０、３１）がある１本のネジ山（６）が含まれる請求項２９による蓋手段
【請求項３１】
前記２ヶ所の始点（３０、３１）が前記蓋手段（１）の開封部（３２）によって特定される追加面に対しほぼ平行である同一面上に含まれる請求項３０による蓋手段
【請求項３２】
前記２ヶ所の始点（３０、３１）が相互に１８０度の角度だけずれる請求項３０あるいは請求項３１による蓋手段
【請求項３３】
前記ネジ山（６）にお互いに平行に延びる円筒状らせんを伴う一組のネジ山（２８、２９）が含まれる請求項３０から請求項３２までのいずれかによる蓋手段
【請求項３４】
前記円筒状らせんのピッチが４．５ミリである請求項３３による蓋手段
【請求項３５】
前記ネジ山（６）にお互いに平行に延びるテーパー付きらせんを伴う一組のネジ山（２８、２９）が含まれる請求項３０から請求項３２までのいずれかによる蓋手段
【請求項３６】
前記テーパー付きらせんのピッチが４．５ミリである請求項３５による蓋手段
【請求項３７】
第１軸つば手段（２２）ならびに第２軸つば手段（２３）が遠ざかる首部（８）ならびに使用時に前記蓋手段（１）の内部の方に延びるひれ手段（１０）が遠ざかる外縁（１１）のある開封表示手段（５）が設けられる蓋手段（１）が含まれる容器手段で、前記ひれ手段（１０）に前記第１軸つば手段（２２）の面（２５）と相互作用するために適する第１部分（２６）、前記第２軸つば手段（２３）の追加面（２７）と相互作用するために適する第２部分（３３）、ならびに前記第１軸つば手段（２２）のさらに別の面（４０）と相互作用するために適する第３部分（３９）が含まれることを特徴とする容器手段
【請求項３８】
前記第１部分（２６）が前記第２部分（３３）ならびに前記第３部分（３９）に関する横断方向に設けられる請求項３７による容器手段
【請求項３９】
前記第１部分（２６）が前記第２部分（３３）と前記第３部分（３９）に関してほぼ垂直に設けられる請求項３７あるいは請求項３８による容器手段
【請求項４０】
前記第１部分（２６）、前記第２部分（３３）ならびに前記第３部分（３９）が前記第１面（２５）によって、前記第２面（２７）によって、そして前記第３面（４０）によって定められる追加行程輪郭（４６）と噛合するために適する行程輪郭（４５）が前記ひれ手段（１０）中に特定されるように一体に接続される請求項３７から請求項３９までのいずれかによる容器手段
【請求項４１】
前記輪郭（４５）と前記追加輪郭（４６）が形成しながら結合されるように連結可能である請求項４０による容器手段
【請求項４２】
前記ひれ手段（１０）の厚みが前記第１軸つば手段（２２）の半径（D）と前記首部（８）の直径（d）間の差より少ない請求項３７から請求項４１までのいずれかによる容器手段
【請求項４３】
前記ひれ手段（１０）の高さ（h、h１）が前記第１軸つば（２２）と前記首部手段（８）から放射状に延びる前記容器手段（９）から形成される部分（３５、４４）間の距離より小さい請求項３７から請求項４２までのいずれかによる容器手段
【請求項４４】
前記第１軸つば手段（２２）が前記第２軸つば手段（２３）と隣接する請求項３７から請求項４３までのいずれかによる容器手段
【請求項４５】
前記第２軸つば手段（２３）の直径が前記第１軸つば手段（２２）より大きい請求項３７から請求項４４までのいずれかによる容器手段
【請求項４６】
前記第１軸つば手段（２２）が前記第２軸つば手段（２３）からよりも前記首部（８）の開封領域（２４）からの方がより離れている請求項３７から請求項４５までのいずれかによる容器手段
【請求項４７】
前記面（２５）が前記首部（８）にほぼ平行に設けられる請求項３７から請求項４６までのいずれかによる容器手段
【請求項４８】
前記追加面（２７）がほぼ環状に形成される請求項３７から請求項４７までのいずれかによる容器手段
【請求項４９】
前記のさらに追加の面（４０）がほぼ環状に形成される請求項３７から請求項４８までのいずれかによる容器手段
【請求項５０】
前記面（２５）が前記追加面（２７）と前記のさらなる追加面（４０）に関して傾斜している請求項３７から請求項４９までのいずれかによる容器手段
【請求項５１】
前記面（２５）が前記追加面（２７）と前記のさらに追加の面（４０）関してほぼ垂直様に設けられる請求項３７から請求項５０までのいずれかによる容器手段
【請求項５２】
前記開封表示手段に前記環（５）の面に沿って長手方向に延びる意図的分離線手段が設けられる環（５）が含まれる請求項３７から請求項５１までのいずれかによる容器手段
【請求項５３】
前記蓋手段（１）にさらに前記首部（８）に作られる追加ネジ山手段（７）と噛合するために適するネジ山手段（６）が含まれる請求項３７から請求項５２までのいずれかによる容器手段
【請求項５４】
前記ネジ山手段に２ヶ所の始点（３０、３１）が設けられるネジ山（６）が含まれる請求項５３による容器手段
【請求項５５】
前記２ヶ所の始点（３０、３１）が前記蓋手段（１）の開封部（３２）によって特定される追加面とほぼ平行である同一面上に含まれる請求項５４による容器手段
【請求項５６】
前記２ヶ所の始点（３０、３１）が相互に１８０度の角度だけずれた請求項５４あるいは請求項５５による容器手段
【請求項５７】
前記ネジ山（６）に相互に平行に延びる円筒状らせんを伴う一組のネジ山（２８、２９）が含まれる請求項５４から請求項５６までのいずれかによる容器手段
【請求項５８】
前記円筒状らせんのピッチが４．５ミリである請求項５７による容器手段
【請求項５９】
前記ネジ山（６）に相互に平行に延びるテーパー付きらせんを伴う一組のネジ山（２８、２９）が含まれる請求項５４から請求項５６までのいずれかによる容器手段
【請求項６０】
前記テーパー付きらせんのピッチが４．５ミリである請求項５９による容器手段
【請求項６１】
前記蓋手段（１）に取付け可能な容器手段（９）に作られる追加ネジ山付き手段（７）と噛合するために適するネジ山付き手段（６）が含まれる、前記ネジ山手段に２ヶ所の始点（３０、３１）が設けられるネジ山（６）が含まれることを特徴とする蓋手段
【請求項６２】
前記２ヶ所の始点（３０、３１）が前記蓋手段（１）の開封部（３２）によって特定される追加面にほぼ平行な同一面上に含まれる請求項６１による蓋手段
【請求項６３】
前記２ヶ所の始点（３０、３１）が相互に１８０度の角度だけずれている請求項６１あるいは請求項６２による蓋手段
【請求項６４】
前記ネジ山手段（６）にお互いに平行に延びる円筒状らせんを伴う一組のネジ山（２８、２９）が含まれる請求項６１から請求項６３までのいずれかによる蓋手段
【請求項６５】
前記円筒状らせんのピッチが４．５ミリである請求項６４による蓋手段
【請求項６６】
前記ネジ山（６）にお互いに平行に延びるテーパー付きらせんを伴う一組のネジ山（２８、２９）が含まれる請求項６１から請求項６３までのいずれかによる蓋手段
【請求項６７】
前記テーパー付きらせんのピッチが４．５ミリである請求項６６による蓋手段
【請求項６８】
前記開封表示手段（５）に前記開封表示手段（５）の面に沿って長手方向に延びる意図的分離線手段がある請求項６１から請求項６７までのいずれかによる蓋手段
【国際調査報告】
2007534559.tif 000014
2007534559.tif 000015
2007534559.tif 000016
2007534559.tif 000017
2007534559.tif 000018